(57)【要約】【課題】カードスロットを有する筐体を備えた携帯端末装置であって、カードスロットからカードを容易に取り出すことが出来ると共に、カードの脱落を抑制する。【解決手段】スロット挿入口１７ａの手前側の筐体部分に、カード挿入口１７ａ側に向かって下降する傾斜面２４が形成され、スロットからメモリカード１８が排出されると、メモリカード１８の排出方向の前縁部分が傾斜面２４によって一旦係止され、次いで外力によって傾斜面２４を越えてメモリカード１８を引き出せるようにした。カードスロット装置１７はスプリング機構によってメモリカード１８を排出可能であり、スプリング機構によってメモリカード１８が排出されると、メモリカード１８の排出方向の前縁部分が傾斜面２４に当接する。【選択図】図３
2008197760.tif 000002
【特許請求の範囲】
【請求項１】
カードスロットを有する筐体を備えた携帯端末装置であって、
カードスロットの挿入口の手前側の筐体部分に、カードスロット側に向かって下降する傾斜面が形成され、カードスロットからカードが排出されると、カードの排出方向の前縁部分が前記傾斜面によって一旦係止され、次いで外力によって前記傾斜面を越えてカードを引き出せるようにしたことを特徴とする携帯端末装置。
【請求項２】
前記カードスロットがスプリング機構によってカードを排出可能であり、該スプリング機構によってカードが排出されると、カードの排出方向の前縁部分が前記傾斜面に当接する、請求項１に記載の携帯端末装置。
【発明の詳細な説明】
【技術分野】
【０００１】
本発明は、携帯端末装置に関し、更に詳しくは、カードスロットを有する筐体を備えた携帯端末装置に関する。
【背景技術】
【０００２】
携帯電話などの携帯端末装置は、ますます多機能化されている。そのような各種の機能に対応するために、メモリカードなどのカードを収容するカードスロットを備えているものがある。携帯端末装置では、落下などで大きな衝撃が加わった際に、カードがカードスロットから飛び出して脱落するおそれがある。カードの脱落は、カードの紛失や破損等に繋がる。このため、挿入されたカードが容易に飛び出さないように、カードスロットにロック機構を備えるものが知られている。
【０００３】
特許文献１は、ロック機構として、カードスロットの挿入口付近にカードを係止する係止部（爪）を備えた携帯端末装置を記載している。
【特許文献１】特開２００５―８４７０３号公報（図１）
【発明の開示】
【発明が解決しようとする課題】
【０００４】
特許文献１に記載の携帯端末装置では、カードスロットからのカードの取出しに先立って、係止部をカードの排出方向と直交する方向に移動させ、ロックを解除する必要がある。ところが、メモリカードなどでは、カードスロットに対してカードを頻繁に出入れして使用する場合があり、係止部によるロック機構では、操作が煩雑であるという問題があった。
【０００５】
本発明は、上記に鑑み、カードスロットを有する筐体を備えた携帯端末装置であって、カードスロットからカードを容易に取り出すことが出来ると共に、カードの脱落を抑制できる携帯端末装置を提供することを目的とする。
【課題を解決するための手段】
【０００６】
上記目的を達成するために、本発明の携帯端末装置は、
カードスロットを有する筐体を備えた携帯端末装置であって、
カードスロットの挿入口の手前側の筐体部分に、カードスロット側に向かって下降する傾斜面が形成され、カードスロットからカードが排出されると、カードの排出方向の前縁部分が前記傾斜面によって一旦係止され、次いで外力によって前記傾斜面を越えてカードを引き出せるようにしたことを特徴とする。
【発明の効果】
【０００７】
本発明の携帯端末装置では、カードスロットに挿入されたカードが飛び出した際に、その前縁部分が傾斜面に接触することによって摩擦力が生じ、カードを係止する。カードスロットからのカードの取り出しに際しては、その摩擦力を上回る力でカードを引き出すだけでよいので、容易に行うことが出来る。従って、カードスロットからカードを取り出す操作を煩雑にすることなく、カードスロットからのカードの脱落を抑制できる。
【０００８】
本発明の好適な態様では、前記カードスロットがスプリング機構によってカードを排出可能であり、該スプリング機構によってカードが排出されると、カードの排出方向の前縁部分が前記傾斜面に当接する。スプリング機構によるカードの排出によって、カードの取り出しをより容易に行うことが出来る。また、スプリング機構によるカードの排出に際して、カードの前縁部分が傾斜面によって一旦係止されるので、カードの脱落を抑制できる。
【発明を実施するための最良の形態】
【０００９】
以下に、添付図面を参照し、本発明の実施形態を更に詳しく説明する。図１は、本発明の一実施形態に係る携帯端末装置を一部のカバーを取り外して背面側から見た斜視図である。携帯端末装置１０は、携帯電話であって、枠状の本体ケース１１を備える。また、本体ケース１１の前面側を覆うフロントカバー、及び、本体ケース１１の背面側を覆うリアカバーを備える。リアカバーは、上部リアカバー１３及び下部リアカバーとから構成されている。同図は、上部リアカバー１３を本体ケース１１から取り外した状態を示しており、上部リアカバー１３はネジによって本体ケース１１に固定される。
【００１０】
本体ケース１１内には、上部リアカバー１３に対向して基板１６が配設され、基板１６の背面側にはカードスロット装置１７が配設されている。カードスロット装置１７は、microＳＤ（登録商標）カードなどのメモリカード１８を装着するものであって、カード挿入口１７ａが本体ケース１１の側部に隣接して配設されている。カードスロット装置１７の近くの本体ケース１１の側部には、各種のキースイッチ１９が配設されている。
【００１１】
基板１６の背面側にはカードスロット装置１７に隣接して、コネクタ２０が配設されている。コネクタ２０は、ＵＳＩＭカードなどのＩＤカード２１をスロット内に装着するものであって、その下部にカード挿入口２０ａが配設されている。基板１６の下方は、電池パック実装部２２を構成している。基板１６や電池パック実装部２２の前面側には、各種の操作キーや表示パネルが配設されている。
【００１２】
図２は、図１の携帯端末装置を背面側から見た平面図である。カードスロット装置のカード挿入口１７ａに対応して、上部リアカバー１３の側部には略矩形状の切欠き２３が形成されている。切欠き２３は、メモリカード１８を出し入れ可能な大きさに形成されている。切欠き２３に上部リアカバー１３の側部側で隣接して、カード挿入口１７ａ側に向かって下降する平らな傾斜面２４と、傾斜面２４の頂部に接続し上部リアカバー１３の背面と平行に延びる平坦面２５とが順次に形成されている。
【００１３】
傾斜面２４及び平坦面２５は、何れも上部リアカバー１３の背面よりも低い位置に形成されている。傾斜面２４から平坦面２５にかけて、挿入されるメモリカード１８の種別を示す刻印２６が形成されている。切欠き２３内には、基板１６の背面に配設された部品２７の一部が露出している。
【００１４】
メモリカード１８は、矩形状の平面形状を有し、カードスロット装置１７内のスロットに挿入される挿入部分１８ａと、カードの後縁部、つまり排出方向に見て前縁部分に形成された厚みの大きな前縁部分１８ｂとから構成されている。上部リアカバー１３の上部には、電子カメラのファインダ部２８が配設されている。本体ケース１１において、カードスロット装置１７と反対側の側部には、外部接続端子カバー２９が配設されている。
【００１５】
図３は、図１、２の矢視III−IIIに沿って見た断面図である。外部接続端子カバー２９の内側には、外部接続端子３０が配設されている。本体ケース１１の厚み方向の中央部分には、基板１６と平行に別の基板３１が配設され、基板１６は基板３１上に種々の部材を介して保持されている。カードスロット装置１７内のスロットは、カードの挿入部分１８ａに対応した断面形状を有している。部品２７の頂面は、スロットの底面と略同じ高さに位置している。
【００１６】
傾斜面２４は、カード挿入口１７ａに対向しており、メモリカード１８の排出に際して、その前縁部分を係止できるように、その頂部はスロットの底面よりも充分に高い位置に形成されている。メモリカード１８は、前縁部分１８ｂを手指で手前側に引っ張ることによって、スロットから引き出すことが出来る。
【００１７】
カードスロット装置１７は、プッシュプッシュ方式のロック機構を備え、メモリカード１８が、スロットの奥部まで押し込まれた際に、それらの間に適度な摩擦力を生じさせ、メモリカード１８をロックする。また、この状態で、メモリカード１８が再び奥側へ押し込まれると、ロックを外すと共に、スプリングの力によってメモリカード１８を手前側に押し戻す機構を備える。
【００１８】
カードスロット装置１７内のスロットへのメモリカード１８の装着／取出しは、下記のように行う。装着に際しては、前述のように、メモリカード１８をカード挿入口１７ａからスロット１７ｂの内部に挿入した後、奥部まで押し込む。これによって、メモリカード１８はロックされる。スロット１７ｂへの挿入に際して、メモリカード１８の面方向がスロット１７ｂにより規制されることでメモリカード１８の底面が傾斜面２４に当接し、傾斜面２４との間に摩擦力が生じる。しかし、この摩擦力は充分に小さいため容易に押し込むことが出来る。
【００１９】
取出しに際しては、先ず、メモリカード１８をスロットの奥部に再び押し込み、ロックを解除する。カードスロット装置１７におけるプッシュプッシュ方式のロック機構は、スプリングの力によってメモリカード１８を手前側に押し戻す。スロットから押し出されたメモリカード１８は、図４（ａ）に示すように、その前縁部分が傾斜面２４に接触し、摩擦力を生じることによって、係止される。
【００２０】
引き続き、手指を用いて、カードの前縁部分１８ｂを摩擦力を上回る力で手前側に引っ張ると、図４（ｂ）に示すように、メモリカード１８の引出し部分３２がＵ字状に撓むことによって、メモリカード１８は傾斜面２４に沿ってスムーズに引き上げられる。このように、メモリカード１８の取出しに際して、大きな力を必要とせず、容易に行うことが出来る。
【００２１】
携帯端末装置に大きな衝撃が加わる等によってメモリカード１８のロックが外れた際には、スロットから飛び出したメモリカード１８の前縁部分が傾斜面２４に接触し、それらの間で摩擦力が生じる。この摩擦力によってメモリカード１８を係止でき、スロットからのメモリカード１８の脱落を防止できる。
【００２２】
本実施形態によれば、携帯端末装置１０が、カード挿入口１７ａに対向して形成され、カード挿入口１７ａ側に向かって下降する傾斜面２４を有することによって、スロット１７ｂからメモリカード１８を容易に取り出すことが出来ると共に、スロット１７ｂからのメモリカード１８の脱落を防止できる。また、メモリカード１８が接触する部分を傾斜面２４とすることによって、メモリカード１８に加わる衝撃を小さくして、メモリカード１８の破損等を防止できる。
【００２３】
なお、スロット１７ｂへのメモリカード１８の装着／取出しに際しては、その底面が傾斜面２４に当接することによってＵ字型に撓むが、傾斜面２４の頂部の高さは、メモリカード１８の撓みが許容される範囲に設定されている。実施形態において傾斜面２４は平面であるが、山型又は谷型に湾曲していても構わない。カードスロット装置１７のロック機構は、プッシュプッシュ方式であるものとしたが、これに限定されない。
【００２４】
以上、本発明をその好適な実施形態に基づいて説明したが、本発明に係る携帯端末装置は、上記実施形態の構成にのみ限定されるものではなく、上記実施形態の構成から種々の修正及び変更を施したものも、本発明の範囲に含まれる。
【図面の簡単な説明】
【００２５】
【図１】本発明の一実施形態に係る携帯端末装置を背面側から見た構成を示す斜視図である。
【図２】図１の携帯端末装置を背面側から見た平面図である。
【図３】図２の矢視III−IIIに沿って見た断面図である。
【図４】図４（ａ）、（ｂ）は、スロットからメモリカードを取出す手順を順次に示す断面図である。
【符号の説明】
【００２６】
１０：携帯端末装置
１１：本体ケース
１２：フロントカバー
１３：上部リアカバー
１４：下部リアカバー
１５：ネジ
１６：基板
１７：カードスロット装置
１７ａ：カード挿入口
１７ｂ：スロット
１８：メモリカード
１８ａ：挿入部分
１８ｂ：前縁部分
１９：キースイッチ
２０：コネクタ
２０ａ：カード挿入口
２１：ＩＤカード
２２：電池パック実装部
２３：切欠き
２４：傾斜面
２５：平坦面
２６：刻印
２７：部品
２８：ファインダ部
２９：外部接続端子カバー
３１：基板
３２：メモリカードの部分
【図１】
2008197760.tif 000003
【図２】
2008197760.tif 000004
【図３】
2008197760.tif 000005
【図４】
2008197760.tif 000006